(57)【特許請求の範囲】
【請求項１】
複数の鉛筆用キャップを備えた鉛筆ホルダにおいて、
各鉛筆用キャップが、鉛筆の軸筒部と嵌合する嵌合部を有し、該嵌合部の外面にスリットが形成され、該スリットが前記鉛筆用キャップの後端と連通していなく、
各鉛筆用キャップが、さらに、前記嵌合部の前方に位置し、前記鉛筆の切削面が当接する当接部を有し、
該当接部が、１５°及び２３°を含む複数の傾斜角度を有する傾斜面を有し、該傾斜角度が前方に向かって小さくなっていることを特徴とする、鉛筆ホルダ。
【請求項２】
ポリエチレンから構成されている、請求項１に記載の鉛筆ホルダ。
【請求項３】
各鉛筆用キャップが、さらに、前記鉛筆の切削された芯を目視できるように形成された覗き孔を有する、請求項１又は２に記載の鉛筆ホルダ。
【請求項４】
請求項１〜３のいずれか１項に記載の鉛筆ホルダを備えた、筆箱。
【発明の詳細な説明】
【技術分野】
【０００１】
本発明は、複数の鉛筆用キャップを備えた鉛筆ホルダと、鉛筆ホルダを備えた筆箱とに関する。
【背景技術】
【０００２】
従来、特許文献１に開示されるように、切削された鉛筆の芯を保護するように鉛筆の前端部を覆う鉛筆用キャップが知られている。また、複数の鉛筆用キャップを備えた鉛筆ホルダも知られている。鉛筆ホルダは、典型的には筆箱に装着され、複数の鉛筆を筆箱内で保持する。
【０００３】
市販されている鉛筆は、円、三角形、四角形、五角形、六角形等の様々な断面形状を有する。外形の最大寸法が円よりも大きい三角形や六角形の断面形状を有する鉛筆は、キャップとの嵌合力が過大となる傾向にある。特許文献１に記載の鉛筆用キャップでは、キャップの外面に形成されたスリットが鉛筆の断面形状に応じて適度に開くことによって、断面形状の違いによる嵌合力のバラツキが低減される。
【先行技術文献】
【特許文献】
【０００４】
【特許文献１】特開２００７−４５０９０号公報
【発明の概要】
【発明が解決しようとする課題】
【０００５】
しかしながら、特許文献１に記載の鉛筆用キャップでは、スリットはキャップの後端と連通している。この場合、外形寸法の大きな断面形状を有する鉛筆がキャップに挿入されると、キャップの後部が径方向に大きく拡がる。このことによって、キャップによる鉛筆の保持力が低下する。また、複数のキャップが一列に整列している鉛筆ホルダの場合、キャップの後部が径方向に大きく拡がると、隣接するキャップの挿入口が小さくなる。このため、鉛筆ホルダのキャップの一部に鉛筆を挿入することができないという問題が生じうる。
【０００６】
そこで、本発明は、上記の問題点に鑑みてなされたものであって、鉛筆の断面形状の違いによる嵌合力のバラツキを低減しつつ、鉛筆の十分な保持力を確保し、且つ、全てのキャップに鉛筆を挿入することができる鉛筆ホルダと、鉛筆ホルダを備えた筆記具を提供することを目的とする。
【課題を解決するための手段】
【０００７】
本発明の第１態様では、複数の鉛筆用キャップを備えた鉛筆ホルダにおいて、各鉛筆用キャップが、鉛筆の軸筒部と嵌合する嵌合部を有し、嵌合部の外面にスリットが形成され、スリットが鉛筆用キャップの後端と連通していないことを特徴とする、鉛筆ホルダが提供される。
【０００８】
本発明の第１態様では、鉛筆ホルダがポリエチレンから構成されていることが好ましい。
【０００９】
本発明の第１態様では、各鉛筆用キャップが、さらに、嵌合部の前方に位置し、鉛筆の切削面が当接する当接部を有し、当接部が、鉛筆の切削角度に対応した傾斜角度を有する傾斜面を有することが好ましい。
【００１０】
本発明の第１態様では、傾斜面が複数の傾斜角度を有し、傾斜角度が前方に向かって小さくなっていることが好ましい。
【００１１】
本発明の第１態様では、各鉛筆用キャップが、さらに、鉛筆の切削された芯を目視できるように形成された覗き孔を有することが好ましい。
【００１２】
本発明の第２態様では、本発明の第１態様の鉛筆ホルダを備えた、筆箱が提供される。
【発明の効果】
【００１３】
本発明によれば、鉛筆用キャップの嵌合部の外面にスリットが形成され、スリットが鉛筆の断面形状に応じて適度に開くことによって、鉛筆の断面形状の違いによる嵌合力のバラツキが低減される。また、スリットがキャップの後端と連通していないので、外形寸法の大きな断面形状を有する鉛筆がキャップに挿入されても、キャップの後部の径方向の拡がりが抑制される。このことによって、鉛筆の十分な保持力を確保し、且つ、全てのキャップに鉛筆を挿入することができる。したがって、本発明によれば、鉛筆の断面形状の違いによる嵌合力のバラツキを低減しつつ、鉛筆の十分な保持力を確保し、且つ、全てのキャップに鉛筆を挿入することができる鉛筆ホルダと、鉛筆ホルダを備えた筆記具が提供される。
【図面の簡単な説明】
【００１４】
【図１】図１は、本発明の実施形態に係る鉛筆ホルダの斜視図である。
【図２】図２は、図１の鉛筆ホルダの内部形状を示す正面断面図であり、鉛筆ホルダには二本の鉛筆が挿入されている。
【図３】図３は、図１の鉛筆ホルダの正面図であり、鉛筆ホルダには二本の鉛筆が挿入されている。
【発明を実施するための形態】
【００１５】
以下、添付図面を参照して本発明の実施形態を説明する。これら実施形態は本発明を限定するものではなく、これら実施形態の構成要素には、当業者が置換可能且つ置換容易なもの、及び実質的に同一のものが含まれる。
【００１６】
図１は、本発明の実施形態に係る鉛筆ホルダ１の斜視図である。鉛筆ホルダ１は六本の鉛筆用キャップ３（以下、単に「キャップ３」とする）を備える。キャップ３は、一方の端部が閉じられた中空の略円筒形状を有する。隣接するキャップ３は互いに連結され、六本のキャップ３は同一平面上に一列に整列される。鉛筆ホルダ１は、例えば、ポリプロピレン（ＰＰ）、ポリエチレン（ＰＥ）、ＡＢＳ樹脂等の樹脂、又はエラストマーから構成され、射出成形等によって一体的に成形される。各キャップ３には、先端が切削された鉛筆が挿入され、鉛筆ホルダ１は同時に六本の鉛筆を保持することができる。なお、鉛筆ホルダ１のキャップ３の数は、二本以上の他の数であってもよい。
【００１７】
両端のキャップ３の外側には、キャップ３の整列方向に突出する嵌合突起５が設けられている。嵌合突起５を、筆箱（図示せず）に設けられた嵌合孔と嵌合させることによって、鉛筆ホルダ１を筆箱に装着することができる。このことによって、鉛筆ホルダ１は筆箱内で鉛筆を保持することができる。なお、鉛筆ホルダ１は筆箱に対して脱着可能である。
【００１８】
図２は、図１の鉛筆ホルダ１の内部形状を示す正面断面図であり、鉛筆ホルダ１には二本の鉛筆７ａ、７ｂが挿入されている。図２に示されるように、鉛筆用キャップ３は、鉛筆７ａ、７ｂの軸筒部７１と嵌合する嵌合部３１と、嵌合部３１の前方に位置し、鉛筆の切削面７２ａ、７２ｂが当接する当接部３２と、当接部３２の前方に位置し、鉛筆７ａ、７ｂの芯７３ａ、７３ｂを保護する保護部３３とを有する。なお、本明細書において、キャップの鉛筆を挿入する側を鉛筆ホルダ及びキャップの「後」側と定義し、キャップの軸線方向（長手方向）に沿ってキャップの鉛筆を挿入する側とは反対側を鉛筆ホルダ及びキャップの「前」側と定義する。
【００１９】
キャップ３への鉛筆７ａ、７ｂの挿入を容易にすべく、嵌合部３１の後端の内径は鉛筆７ａ、７ｂの軸筒部７１の外径よりも大きい。嵌合部３１の内面はテーパー形状を有し、嵌合部３１の内径は前方に向かって徐々に小さくなっている。嵌合部３１の前端の内径は鉛筆７ａ、７ｂの軸筒部７１の外径よりも小さいので、嵌合部３１は鉛筆７ａ、７ｂの軸筒部７１と嵌合する。このことによって、鉛筆７ａ、７ｂの十分な保持力を確保することができる。
【００２０】
キャップが単純なテーパー形状の嵌合部のみを有する場合、鉛筆をキャップに挿入する力が強すぎると、鉛筆の軸筒部はキャップの前方に押し込まれる。この結果、軸筒部は、嵌合部とより強固に嵌合するので、鉛筆の保持力が過大となる。この場合、鉛筆をキャップから引き抜くことができず、又は鉛筆をキャップから引き抜くときの反動で怪我をするおそれがある。鉛筆ホルダ１では、この問題を以下の構成によって解決することができる。
【００２１】
キャップ３の当接部３２は、複数の傾斜角度を有する傾斜面３２１を有する。本実施形態では、傾斜面３２１は二つの傾斜角度θ１、θ２を有し、θ１は１５°であり、θ２は２３°である。θ２はθ１よりも大きく、傾斜面３２１の傾斜角度は前方に向かって小さくなっている。市販されている主な自動鉛筆削り機によって切削された鉛筆７ａ、７ｂは、それぞれθ３、θ４の切削角度を有する。θ３は、１５°であり、θ１と等しい。θ４は、２３°であり、θ２と等しい。すなわち、傾斜面３２１は、鉛筆の切削角度に対応した複数の傾斜角度を有する。なお、傾斜面３２１は、鉛筆の切削角度に対応した三つ以上の傾斜角度を有してもよい。この場合も、傾斜角度は前方に向かって小さくなる。また、傾斜面３２１は、鉛筆の切削角度に対応した一つの傾斜角度を有してもよい。
【００２２】
図２に示されるように、θ３の切削角度を有する鉛筆７ａがキャップ３に挿入されると、鉛筆７ａの切削面７２ａは、θ１の傾斜角度を有する傾斜面３２１ａに当接する。一方、θ４の切削角度を有する鉛筆７ｂがキャップ３に挿入されると、鉛筆７ｂの切削面７２ｂは、θ２の傾斜角度を有する傾斜面３２１ｂに当接する。このことによって、鉛筆７ａ、７ｂの軸筒部７１がキャップ３の前方に押し込まれることが妨げられ、鉛筆７ａ、７ｂの保持力が過大とならない。また、傾斜面３２１ａ、３２１ｂの傾斜角度θ１、θ２が鉛筆７ａ、７ｂの切削角度θ３、θ４に対応しているので、切削面７２ａ、７２ｂは傾斜面３２１ａ、３２１ｂと面接触し、切削面７２ａ、７２ｂに掛かる力が分散される。このため、鉛筆７ａ、７ｂの切削面７２ａ、７２ｂ上の傷の発生が低減される。
【００２３】
キャップ３の保護部３３には、鉛筆７ａ、７ｂの切削された芯７３ａ、７３ｂが延在する。保護部３３の内面はテーパー形状を有し、保護部３３の後端の内径は当接部３２の前端の内径と等しく、保護部３３の内径は前方に向かって徐々に小さくなっている。また、保護部３３の前端部は閉じている。このことによって、指がキャップ３内の芯７３ａ、７３ｂと接触して損傷することを防ぐことができる。
【００２４】
嵌合部３１の外面には、キャップ３の長手方向に延在するスリット３４が形成されている。市販されている鉛筆は、円、三角形、四角形、五角形、六角形等の様々な断面形状を有する。外形の最大寸法が円よりも大きい三角形や六角形の断面形状を有する鉛筆は、キャップの嵌合部との嵌合力が過大となる傾向にある。本実施形態では、スリット３４が鉛筆の断面形状に応じて適度に開くことによって、断面形状の違いによる嵌合力のバラツキを低減することができる。
【００２５】
スリット３４はキャップ３の後端と連通していない。このため、外形寸法の大きな断面形状を有する鉛筆がキャップに挿入されても、キャップ３の後部の径方向の拡がりが抑制される。このことによって、キャップ３の嵌合部３１と鉛筆７ａ、７ｂの軸筒部７１との嵌合力の低下が抑制されるので、鉛筆７ａ、７ｂの十分な保持力が確保される。また、隣接するキャップ３の挿入口（後端）の大きさが維持されるので、全てのキャップ３に鉛筆を挿入することができる。
【００２６】
また、スリット３４の位置はキャップ３の後端よりも当接部３２に近い。嵌合部３１の内径が小さく嵌合力が高い位置にスリット３４が形成されているので、鉛筆の断面形状の違いによる嵌合力のバラツキがより効果的に低減される。
【００２７】
鉛筆ホルダ１は好ましくはポリエチレンから構成される。このことによって、嵌合部３１の剛性が最適化され、鉛筆の断面形状の違いによる嵌合力のバラツキがより効果的に低減される。
【００２８】
図３は、図１の鉛筆ホルダ１の正面図であり、鉛筆ホルダ１には二本の鉛筆７ｃ、７ｄが挿入されている。図３に示されるように、キャップ３は、さらに、当接部３２の前方に位置し、鉛筆７ｃ、７ｄの切削された芯７３ｃ、７３ｄを目視できるように形成された覗き孔３５を有する。覗き孔３５は保護部３３の外面に形成されている。覗き孔３５から芯７３ｃ、７３ｄの状態を確認することができるので、鉛筆７ｃ、７ｄをキャップ３から引き抜くことなく、使用に適した鉛筆を容易且つ迅速に選択することができる。
【００２９】
鉛筆の芯の位置は鉛筆の切削角度と芯の減り具合とに依存する。このため、覗き孔３５はキャップ３の長手方向に延在し、その長手方向の長さは、切削角度の異なる鉛筆のあらゆる状態の芯を目視できるように、キャップ３の長手方向の長さの１／３よりも長い。一方、覗き孔３５の短手方向の長さは、芯を目視できるように芯の径方向長さよりも長く、芯と指との接触を防ぐようにキャップ３の径方向長さよりも短い。このため、鉛筆ホルダ１では、芯による指の損傷を防ぎつつ、キャップ３内の芯の状態を確認することができる。
【００３０】
図２に示されるように、保護部３３の外面には、さらに、キャップ３の長手方向に延在する貫通孔３６が形成されている。貫通孔３６は、スリット３４の前方に位置し、キャップ３の周方向において覗き孔３５から１８０°離間されている。鉛筆ホルダ１が射出成形によって成形される場合、貫通孔３６の位置に配設されるキャビティと、覗き孔３５の位置に配設されるキャビティとによって、キャップ３の内部に配設されるコアピンの成形時の振れが抑制される。このことによって、鉛筆ホルダ１の成形不良の発生を低減することができる。
【００３１】
図３に示されるように、嵌合部３１及び当接部３２の外面には、径方向外側に突出する凸部３７が形成されている。凸部３７は、覗き孔３５の後方に位置し、キャップ３の周方向においてスリット３４から１８０°離間されている。凸部３７は、先端が切削された鉛筆の略図を表し、使用者に鉛筆の挿入方向を案内する。
【符号の説明】
【００３２】
１    鉛筆ホルダ
３    鉛筆用キャップ
３１    嵌合部
３２    当接部
３２１、３２１ａ、３２１ｂ    傾斜面
３３    保護部
３４    スリット
３５    覗き孔
３６    貫通孔
３７    凸部
５    嵌合突起
７ａ、７ｂ、７ｃ、７ｄ    鉛筆
７１    軸筒部
７２ａ、７２ｂ    切削面
７３ａ、７３ｂ、７３ｃ、７３ｄ    芯
θ１、θ２    傾斜角度
θ３、θ４    切削角度
【図１】
0006494211.tif 000002
【図２】
0006494211.tif 000003
【図３】
0006494211.tif 000004